(57)【要約】      （修正有）【課題】使用につれて容器内のシートの残量が少なくなっても、最後の１枚に至るまで取り出し用開口部に近接するシートを指で摘んで取り出すことが変わらず簡単であるようにすること、シートの取り出しに際し、その下位のシートを分離しやすくすること、及びそのような使用形態に適したシート用収納袋を提供する。【解決手段】平袋から構成され、該平袋の片面から平袋が分岐してなり、シートを取り出すための開口部１６が設けられた分岐平袋を形成させてなるシート用収納袋。【選択図】図９
2013151308.tif 000002
【特許請求の範囲】
【請求項１】
平袋から構成され、該平袋の片面から平袋が分岐してなり、シートを取り出すための開口部が設けられた分岐平袋を形成してなるシート用収納袋。
【請求項２】
該シート用収納袋はウェットシートを収納させるためのものである請求項１に記載のシート用収納袋。
【請求項３】
シートを取り出すための開口部はチャックにて繰り返し開封可能に形成されている請求項１又は２に記載のシート用収納袋。
【請求項４】
請求項１〜３のいずれかに記載のシート用収納袋にシートが収納されているシート用収納袋。
【発明の詳細な説明】
【技術分野】
【０００１】
本発明は、多数枚のシートが収納されたシート用収納袋とそのシート用収納袋に関する。
好適には、液状化粧料や薬剤等を含浸させた多数枚のウェットシートが積層状態で収納されたシート用収納袋に関する。
【背景技術】
【０００２】
ウェットシート等のシート状物を包装するために、例えば化粧料や薬剤等をウェットシートに含浸させて、そのウェットシートを個別包装し、使用時にはその包装を開封して内部のウェットシートを取り出せるようにすることが知られている。このようなウェットシートを使用するに際しては、複数の個別包装されたウェットシートを１つの容器に詰め、使用時には該容器から１個ずつ取り出し、個別包装を開封して使用していたが、このようなウェットシートは個別包装により細菌の繁殖や汚れの付着を防止できるものの、使用時に１枚ずつその包装を開封する必要があり使用性に優れないものであった。
さらに、ウェットティッシュや体拭きシートのような比較的大きな面積の複数のウェットシートをポップアップ可能となるように折り畳んで積み重ね、プラスチック製容器に収納したり、携帯用ピロー包装袋に包装するウェットシート類が多用されている。ティッシュペーパーのように箱や袋に入れて、箱上面の開口部や袋の一面の開口部より順次引き出して使用することも行われている。ウェットシートを開口部から順次取り出せるようにするためには特殊な折り方が必要となり、製造工程を複雑なものとしていた。
【０００３】
一方、小面積のウェットシート類（例えば、ポイントケア用のパッド類、ポイントマスク類）については、一枚ごとに個包装したり、重層して密閉可能な容器内に収納する技術も多用されている。
この複数の小面積のウェットシートを積み重ねて箱や袋に入れる例としては、特許文献１に記載されているように、化粧料を含浸させたパッドを重ねて容器に収納し、その上部開口部より順にパッドを取り出して使用するようにした例や、特許文献２に記載されているように、化粧料を含浸させたパッドを重ねて入れてなる容器であって、各パッドが一部を重ねた状態で積層されてなり、その重ね合わせ部において容器上部の蓋付き開口部より取り出すようにした例が知られている。
さらに、特許文献３に記載されているように、カートリッジに個別包装していない経皮／経粘膜パッチをカートリッジ内で折り重ねるか積み重ねて貯蔵し、経皮／経粘膜パッチの取り出し口である開口部を何回も開閉可能なフォイルシールで気密にシールし、このカートリッジをハウジング内に設置して、該フォイルシールを剥離してから、該開口部より経皮／経粘膜パッチを一枚ずつ取り出し使用することが知られている。
また、特許文献４に記載されているように、複数のウェットシートを重ねて収納するウェットシート包装体が、その底部内面にウェットシートを押し上げるための押し上げ台を形成してウェットシートを取り出しやすくすること、さらに当初ウェットシートの重量により弾性変形して下側に押し下げられた押し上げ台は、ウェットシートの残り枚数が少なくなるとその弾性力により残されたウェットシートを押し上げるので、残りのウェットシートの枚数に限らずウェットシートの取り出し開始端を容易に摘めることが記載されている。
【０００４】
特許文献５には、１枚のプラスチックシートを折り曲げて、２枚の外壁と２枚の内壁とから成る断面略Ｗ字状の成形物とすると共に、外壁の上部の一部を切り欠いて取出し口としたことを特徴とするフレキシブル材料取出用容器が記載されているが、その容器は密閉性が無く、切り欠いて形成した取出し口を密閉する手段もない。
【０００５】
しかしながら、上記特許文献１及び２に記載されているような、個別包装されていないパッドを容器内に重ね合わせて収納し、これを上部の取り出し口より１枚ずつ取り出し使用する手段は、パッドを上から順に指で取り出し使用するにつれて、重ね合わされたパッドの最上層が箱の開口部から徐々に離れた位置となるために、狭い開口部を押し開きながら指を入れて最上層のパッドを取り出すことになるので使用性に優れないことがある。
さらに、液体が含浸されたパッドを収納できる容器は、その液体が漏れないように十分な耐水性や強度を備える必要があるために、より丈夫な構造を持つことが必要となって、結果的に容器内のパッドを使い終わって新たな容器入りパッドを求める度に使用済み容器が嵩張る廃棄物になっていた。
さらに、特許文献１に記載の技術によると、ウェットシート同士が付着しやすいために一枚ずつ分離して取り出すには、操作性が必ずしも十分ではなかった。これを解消するべく、特許文献２では、隣接するシートの位置を互いにずらしながら積層する方法が提案されたが、シート元来の面積に比べ大きな容器が必要となり、コスト的、及び廃棄物量低減の観点で好ましいものではなかった。
【０００６】
さらに上記特許文献３に記載されているように、該容器をカートリッジとして、このカートリッジをハウジング内に設けて使用することも知られているが、このような手段は個別包装されていないので１枚１枚個別包装を解く必要がなく使用性は向上する。かつ特許文献３に記載されているように容器をカートリッジ化すると、ハウジング内のパッチを使い切った場合の補充をカートリッジの取り替えを行うことにより実施できるので、その際に化粧料や薬剤等が手指に付着することもなく衛生的でもある。
しかしながら、特許文献３に記載の交換用カートリッジを装着する貼付剤ディスペンサーによると、その構造が複雑であるがゆえにカートリッジはその取り替えにいくつかの固定のための工程を要し、単にカートリッジを入れ替える工程で終了するのではない。さらに上記の箱入りのパッドと同様にカートリッジ内のウェットシートを取り出し使用するにつれ、カートリッジのウェットシート取り出し口から最上層のウェットシートまでの距離が遠くなり、指を取り出し口から差し込んでウェットシートを取り出すのが徐々に困難になることによって使用性が悪化していた。
【０００７】
特許文献４記載のウェットシート包装袋は、その底部内面に弾性変形する押し上げ台を設けることにより確かにウェットシートの取り出しを距離的に簡単にするものであるが、ウェットシートの重みで弾性変形する程度の弾性力では、ウェットシートを十分に開口部に押しつけることはできないし、しかも、引用文献４記載のウェットシート包装体は取り替えが容易な容器ではなく、格納具に収納して用いられるものではないので、ウェットシートが常に開口部に押しつけられているとまではいえず、しかも、使い切る毎に嵩張るゴミを発生するものである。
【０００８】
特許文献５に記載の容器はシート状物を１枚ずつ取り出すための容器としては優れるとしても、密閉容器ではなく取出し口を密閉する手段もない。
【先行技術文献】
【特許文献】
【０００９】
【特許文献１】米国特許第５０４６６４０号公報
【特許文献２】米国特許第７００７８０１号公報
【特許文献３】国際公開０３／０３５５１０号公報
【特許文献４】特開２００９−７８８２８号公報
【特許文献５】実開昭６３−１９９９４４号公報
【発明の概要】
【発明が解決しようとする課題】
【００１０】
上記したように、従来技術に開示される多数枚のウェットシート等のシートを重層して格納した容器では、シートを一枚一枚分離して取り出す操作性が満足のいくものではなく、またシートを使い切った後、容器と付属品まで全て廃棄することになり、環境負荷の点で好ましいものではなかった。一方、交換用ウェットシート容器を使うディスペンサータイプのものは、構造が複雑であり、製造性、使用性ともに満足できるものではなく、ウェットシートを湿潤状態で保存するための気密性の点で限界があった。
そこで、使用中のシート用収納袋の上部に設けたシート取り出し用開口部に、最上層のシートが常に取り出しやすい位置に配置されるようにすることにより、使用につれて該容器内のシートの残量が少なくなっても、最後の１枚に至るまで取り出し用開口部に近接するシートを指で摘んで取り出すことが変わらず簡単であるようにすること、シートの取り出しに際し、その下位のシートを分離しやすくすること、及びそのような使用形態に適した容器を提供することを課題とする。
【課題を解決するための手段】
【００１１】
本発明は、特定のシート用収納袋を採用することにより上記の課題を解決するものであり、具体的には以下の手段を採用する。
１．平袋から構成され、該平袋の片面から平袋が分岐してなり、シートを取り出すための開口部が設けられた分岐平袋を形成してなるシート用収納袋。
２．該シート用収納袋はウェットシートを収納させるためのものである１に記載のシート用収納袋。
３．シートを取り出すための開口部はチャックにて繰り返し開封可能に形成されている１又は２に記載のシート用収納袋。
４．１〜３のいずれかに記載のシート用収納袋にシートが収納されてなるシート用収納袋。
【発明の効果】
【００１２】
本発明のシート用収納袋は、使用前の保存時に内蔵する化粧料や薬剤が含浸されたウェットシートの乾燥や変質を防止しながら、個別包装ではなく多数枚のウェットシートを内蔵することができる。しかも、シートの取り出しが簡単であり、また、シートを１枚１枚個別に包装するものではないので、廃棄物量をより削減することができる。
かつシート用収納袋内のウェットシートを外界から遮断して気密性を保持することにより、長期にわたり乾燥や変質を防止しながら、最後の１枚まで指により上部のウェットシートを簡単に取り出すことができるものである。
【図面の簡単な説明】
【００１３】
【図１】シートを拡げた状態の図
【図２】２つ折りにした上記シート
【図３】折り端部を形成した上記シート
【図４】ブロックにするためにシートを重ねる際の概念図
【図５】ブロックにしたシートの図
【図６】折り端部を摘む状態の模式図
【図７】シート用収納袋
【図８】シートを収納してなるシート用収納袋
【図９】図８の透過図
【図１０】図９に示すシート用収納袋からシートを取り出す際の概念図
【図１１】シート用収納袋からシートを取り出す際の断面図
【図１２】シート用収納袋の断面図
【図１３】シート用収納袋からシートを取り出す際の断面図
【図１４】容器入りシート用収納袋
【図１５ａ】シートを収納したシート用収納袋の製造工程
【図１５ｂ】シートを収納したシート用収納袋の製造工程
【図１５ｃ】シートを収納したシート用収納袋の製造工程
【図１５ｄ】シートを収納したシート用収納袋の製造工程
【図１５ｅ】シートを収納したシート用収納袋の製造工程
【図１５ｆ】シートを収納したシート用収納袋の製造工程
【発明を実施するための形態】
【００１４】
本発明は分岐平袋を設けたシート用収納袋であり、上記のようにシートを収納してなる袋は分岐平袋の一端に設けた開口部から手指を入れて、内部に収納してなるシート状物を取り出すことができる。
【００１５】
本発明を具体的に図を基に説明する。
図１は本発明のシート用収納袋内に収納されるシート状物の一例であるパックシート１である。まず、図１において、パックシート１中央を縦に伸びる実直線２にて山折り又は谷折りにして図２に示す状態とする。
図２においては、パックシート１の鼻部の下には横に伸びる実直線３が示され、この線によって谷折りをして図３に示す状態となり、上面にパックシート１の折り端部４が位置した状態となる。
このように折ったパックシートを同じ方向に１枚以上重ねて１セットとする。その状態は図４にて示されている。図４には、２つのセット５及び６が上下に示され、そのセット間は互い違いに配置される。なお、セット数は２つである必要はなく、１つ以上であればよい。
次いで配置された複数のセットは重ねられて、図５に示すように、なるべく均一厚さとなるようにして１つのブロック７を形成する。
【００１６】
こうして得られたブロックの最も上に位置するパックシートは、その折り端部４が上面に露出した状態となり、その下層に位置する全てのパックシートは折り端部が上面に位置するようにして重ねられている。
ブロック７の最も上に位置する折り端部４は図６に示すように、指で摘んで上方に引っ張られることにより展開される。そして、最上層のパックシートは図２に示す状態に近い状態にて下層にある他のパックシートから離される。
【００１７】
ここで、本発明にて収納用袋が収納するシートとしてパックシートを例示したが、本発明のシート用収納袋が収納するシートはパックシートに限定されるものではない。また、折り畳んだシートを重ねてなるセットを必ずしも互い違いに重ねる必要はない。
シート状物であれば、化粧取り用シート、ウェットシート、ティッシュペーパー、建築物や車輌の窓や室内等の拭き掃除用シート、人やペットの手入れ用シート、おしぼりシート、殺菌・抗菌剤塗布用シート、各種薬剤、洗浄剤等を含浸させたシート、粉体化粧料等の粉体を担持させたシート等、複数枚を重ねて保存し、１枚ずつ取り出して使用できるシートであれば良い。
シートを構成する材料に関しても特に限定されるものではなく、折り曲げることが可能な程度の柔軟性を有し、折り端部を引っ張ることにより破れる等の破損を生じないことが必要である。
【００１８】
そのようなシートの材料は、紙、樹脂シート、金属シート、有機化合物または無機化合物からなる織布、不織布等の折り曲げることができるシート状物を構成するものであれば特に限定されず、湿潤していないシートでも良く、又湿潤されたウェットシートでもよい。湿潤していないシートであっても化粧用粉体や粉体の薬剤を付着させたシートであっても良い。
本発明において収納されるシートがウェットシートの場合、その基材としては、吸液性シートを基本素材とし、ニット、織物、不繊布のような繊維シート類、紙又は発泡体等を使用できる。発泡体シートの中では、ポリウレタン発泡体、ＮＢＲ発泡体等の吸液性や保液性に優れたスポンジシートも使用可能であるが、経済性、皮膚安全性からすれば、木綿、コットン、パルプ、レーヨンのような天然系繊維を主材とする繊維シートが好ましい。またその製造方法としては編み機や樹脂成形機、各種不織布形成法などを用いる公知の方法を用いることができる。
【００１９】
他に、繊維シートや発泡体シートと樹脂フィルムとのラミネートシートのような積層体を使用することもできる。薄い合成樹脂フィルムを片側に積層したシートを基材とすると、ウェット状態であってもフィルムの撥水性により分離性がさらに向上できるので好ましい。
【００２０】
本発明におけるウェットシートの形状は、例えば円形、楕円形、勾玉形、多角形等任意の形状のものでよい。
本発明において収納されるシートがウェットシートでない場合には、その材質としては上記の素材に加えて吸液性を有しない材質を、用途に応じて採用することも可能である。そのような素材としては、多孔性でない樹脂フィルム、金属シート等が挙げられる。
【００２１】
ウェットシートの場合は、水、化粧水、薬剤、洗浄剤等、特に限定されるものではないが、シート材料及びシート用収納袋を腐食させる等を起こさないものによって含浸されてウェットシートとされているものが良い。
本発明において、ウェットシートを収納する際に、含浸又は付着させる化粧料及び薬剤、洗浄剤としては、公知の任意のものを使用することが可能である。性状としては、液状、ペースト状、クリ−ム状、ジェル状又は粉状いずれも使用可能であり、例えば基礎化粧品としての洗顔科、化粧水、乳液、等があり、メーキャップ化粧品としての白粉、ファンデーション、頬紅類、芳香化粧品、美白剤、抗酸化剤、しわ防止剤、保湿剤、日焼け止め剤、てんか粉類、除毛剤、抗菌剤、ニキビ治療剤など任意の各種化粧料、薬剤、界面活性剤等を対象とする。本発明で好ましく使用できる化粧料や薬剤、洗浄剤等の剤型は、種々の粘度の液状物、ないしクリ−ム、ジェルのような半液状物が好適である。
【００２２】
化粧料及び薬剤、洗浄剤の保持量は、ウェットシート基材重量の３０〜１，２００重量％の範囲が好ましい範囲である。液状の場合、３０重量％以下の保持量では、塗布量が少なくなり化粧料等の効率的な塗布効果が得られず、１，２００重量％を超える保持量ではウェットシートの保液能力以上となって、過剰の塗布液が垂れて収納袋底部に溜まりやすくなるし、重力の影響によってウェットシート重層体の上側と下側とで液保持量の差が発生しやすくなる。
【００２３】
本発明のシート用収納袋は、その外観が図７に示されるものである。図７は内容物を収納しない状態のシート用収納袋１０を示し、そのシート用収納袋１０は３つの平袋を結合したような形状を呈しており、平袋分岐部１１及び３つの平袋端部１２〜１４を有している。
３つの平袋はそれぞれ側部１５にてシールされて形成されてもよく、他の手段によって側部を形成してもよい。しかしながら製造上は側部をシールしてなる平袋である方が簡便である。
３つの平袋のうち、１つの平袋が分岐平袋となり、その端部に開口部１６を形成する。図においては平袋端部１２が分岐平袋の端部である。その開口部１６の構造は公知の構造で良く、たとえば開口部１６の１方の側部に切り欠きを設け、その切り欠きの端部側を指で摘み、切り欠きを起点として他方の側部に向けて引くことにより開口部１６を開けるような手段を採用できる。
また、一端開けた開口部１６を開閉自由となるように、例えばチャック等１７を設けて封止することもできる。
【００２４】
図８には、本発明のシート用収納袋に上記パックシートのブロックを収納してなる状態の外観図を示す。ブロックを収納することによって平袋端部１３及び１４がふくれており、分岐平袋の端部である平袋端部１２はブロックが収納されていないのでふくれていない。
この状態において、平袋端部１３及び１４は１つの袋であるかのようにほぼまっすぐにふくれていても良いが、平袋分岐部１１により折れた状態となっていてもよい。図８に示す状態は平袋分岐部１１により若干折れた状態である。
【００２５】
その図８を透過図としたものを図９に示す。図９においては上記ブロック７が収納されており、そのときに特にブロック７の最も上に位置するパックシートの折り端部４が上面に位置するように収納される。その折り端部はパックシートを展開させるための摘み部として機能することができる。
この状態にて開口部１６付近の端部の破線部分を指やはさみ等により開けて、図１０に示す状態とし、手指を開口部１６からシート用収納袋内に入れると、パックシートのブロックの最も上に位置するパックシートの折り端部の周囲のＡで示される部分がちょうど平袋分岐部付近に存在するので、指により簡単に折り端部を摘み矢印方向に引き上げることができる。
その後、手指を引き上げて開口部１６から抜く際には、図１１に示すように、折り端部が指に摘まれたパックシート１も開口部１６から引き抜かれることになって、ちょうど本発明のシート用収納袋１０内に収納されたパックシートを１枚だけ取り出すことができる。
【００２６】
図１２に示すように、取り出した後は、次回パックシートを取り出すまで、予め設けてあった封止部材、例えば封止部１７によって気密に封止されることも可能である。
ここで、本発明のシート用収納袋を構成する材料としては公知の材料で良く、収納されるシート、及びシートに含浸されて共に収納され得る液体の性質によって決めることができる。
例えば、ティッシュペーパーのように、乾燥しているシートを収納、保存する場合には、シート用収納袋を構成する材料は気密性や液体透過性等を特に考慮する必要が無い。その場合には、紙や樹脂シート等広範な種類の材料を使用することが可能である。また封止部１７は例えばベルクロファスナー等の気密性がそれほどない部材により構成することもできる。
ところが、パックシートやウェットティッシュ、自動車等の窓ふきシート、殺菌液含浸シート、医療用薬剤含浸シート等のように、液体が含浸されてなるシートの場合には、その液体が外部に漏れないように、及び外気が内部に通気しないように等のバリヤ性を必要とすることになり、シート用収納袋を構成する材料はそのようなバリヤ性が優れた材料を選択して使用することが求められる。
さらに封止部１７としても、内部の液体が蒸発することがないように、あるいは保管時にシート用収納袋が反転しても内部の液体が漏出することがないように、確実に封止するような材料により構成させることが必要である。
【００２７】
図８〜１２に示す例は、収納されるパックシートがそれほど折り曲げられておらず、結果的に本発明のシート収納袋が比較的平らにされた形状を呈している例であるが、このような形状にされる場合に留まらない。
例えば図１３に示すように、収納されるパックシート１が折り曲げられるようにしてシート収納袋１０に収納されていても良い。この場合には、パックシートを収納したシート収納袋１０は自立させることができる。
このため、使用期間を通じて机等の上にシート収納袋を立たせた状態で置くことも可能であるし、図１４に示すようにシート収納袋を別に用意した二点破線にて示す箱等の容器１８の中に収納した状態にて型崩れし難い状態での輸送・店頭などへの陳列を行うことができるし、使用期間を通じて箱内にシート収納袋を収納した状態とすることも可能である。
この箱等の容器の上面には、シート収納袋のチャック等に対向する箇所に手指を挿入可能な程度に開口できる取出し口用切取線等を設けると、上記のように使用期間を通じて箱内にシート収納袋を収納した状態にて使用することができる。
【００２８】
また、本発明のシート用収納袋を製造する方法の一例を次に示す。
図１５（ａ）に示すように、断面図にて示された一枚の長尺シート２０を矢印方向に繰り出しながら、繰り出し方向に垂直方向に山折り２１、谷折り２２、山折り２３、谷折り２４、山折り２５を順に行う等をして、図１５（ｂ）に示す谷折り部分が平袋端部１３及び１４を形成させる。
これらの折り目を折ることにより長尺シート２０の側部同士を合わせ、その合わせ目を溶着や接着等によりシールして、図１５（ｃ）に示す平袋端部１３及び１４が形成され、平袋端部１２となる予定の箇所２６に開口部が形成されたシート用収納袋を製造する。
【００２９】
次いで、図１５（ｄ）及び（ｅ）に示すように、このシート用収納袋にて未だ封止されていない平袋端部１２となる予定の箇所から内部に収納するシート状物からなるブロック７を挿入する。その際に、ブロック７の最上層の表面に折り端部が向くようにし、かつ平袋分岐部付近に折り端部が位置するようにする。
その後、図１５（ｆ）に示すように、収納されるシートに液体を含浸させない場合はすぐに、該開口部を溶着又は接着により封止する。液体を含浸させる場合には該開口部からシートに含浸される液体を注入し、その後に該開口部を上記の任意の手段により封止する。なお、該開口部から収納するシートとして既に液体を含浸してなるものを採用することも可能である。
【００３０】
このように、本発明のシート用収納袋及びシートを収納してなるシート用収納袋について説明したが、シート用収納袋のシートを取り出すための開口部に設けた封止部を、図示したものよりも平袋分岐部により近づけて配置してもよい。そのように近くに配置することによって、封止部の取り出し部と収納されたシートの折り端部とがより近接するので、封止部の取り出し部から手指を挿入して平袋分岐部付近のシートの折り端部をより簡単に摘むことが可能になる。
【符号の説明】
【００３１】
１； パックシート
２；実直線
３；実直線
４；折り端部
５；セット
６；セット
７；ブロック
８；蓋
９；フランジ
１０；シート用収納袋
１１；平袋分岐部
１２；平袋端部
１３；平袋端部
１４；平袋端部
１５；側部
１６；開口部
１７；チャック等
１８；容器
２０；長尺シート
２１；山折り
２２；谷折り
２３；山折り
２４；谷折り
２５；山折り
２６；箇所
【図１】
2013151308.tif 000003
【図２】
2013151308.tif 000004
【図３】
2013151308.tif 000005
【図４】
2013151308.tif 000006
【図５】
2013151308.tif 000007
【図６】
2013151308.tif 000008
【図７】
2013151308.tif 000009
【図８】
2013151308.tif 000010
【図９】
2013151308.tif 000011
【図１０】
2013151308.tif 000012
【図１１】
2013151308.tif 000013
【図１２】
2013151308.tif 000014
【図１３】
2013151308.tif 000015
【図１４】
2013151308.tif 000016
【図１５ａ】
2013151308.tif 000017
【図１５ｂ】
2013151308.tif 000018
【図１５ｃ】
2013151308.tif 000019
【図１５ｄ】
2013151308.tif 000020
【図１５ｅ】
2013151308.tif 000021
【図１５ｆ】
2013151308.tif 000022